(57)【要約】【課題】対象の商品又は役務の価格に適したデザインの広告を作成する。【解決手段】サーバ４は、所定の商品を対象としたＰＯＰを作成する際にＰＯＰに載せる商品の価格の入力を受け付け、ＰＯＰの態様を入力を受け付けた価格に対応した態様に設定するＣＰＵ４１を備え、ＣＰＵ４１は、当該商品と同様な商品であって当該商品の提供者とは異なる提供者により提供される商品の価格が母集団に含まれるように導出された基準価格との相対比較結果に基づいて、ＰＯＰの態様を設定する。【選択図】図２
2018142155.tif 000002
【特許請求の範囲】
【請求項１】
所定の商品又は役務を対象とした広告を作成する際に前記広告に載せる商品又は役務の価格の入力を受け付ける受付手段と、
前記広告の態様を前記受付手段により入力を受け付けた価格に対応した態様に設定する設定手段と、
を備え、
前記設定手段は、前記商品又は役務と同様な商品又は役務であって前記商品又は役務の提供者とは異なる提供者により提供される商品又は役務の価格が母集団に含まれるように導出された基準価格との相対比較結果に基づいて、前記広告の態様を設定することを特徴とする情報処理装置。
【請求項２】
所定の商品又は役務を対象とした広告を作成する際に前記広告に載せる商品又は役務の価格の入力を受け付ける受付手段と、
前記広告の態様を前記受付手段により入力を受け付けた価格に対応した態様に設定する設定手段と、
を備え、
前記設定手段は、前記商品又は役務と同様な商品又は役務であって前記商品又は役務の提供者とは異なる提供者により提供される商品又は役務の価格が母集団に含まれるように導出された価格の偏差値に基づいて、前記広告の態様を設定することを特徴とする情報処理装置。
【請求項３】
対象の商品又は役務の販売促進を目的とした広告データを作成する情報処理装置であって、
ユーザにより入力される前記対象の商品又は役務を特定する特定情報及び前記対象の商品又は役務の価格に基づき、前記広告データを構成する広告データ構成要素を選択する選択手段と、
前記選択手段により選択される前記広告データ構成要素を取得して、ユーザにより入力される前記特定情報及び前記価格と組み合わせることで前記広告データを作成する作成手段と、
前記特定情報に基づき特定される前記対象の商品又は役務について基準価格を取得する取得手段と、を備え、
前記選択手段は、ユーザにより入力される前記価格が前記基準価格以上である場合に、前記価格が前記基準価格よりも低い場合に比べて、あらかじめ前記広告データ構成要素と対応付けて設定されている高級感度が高い前記広告データ構成要素を選択することを特徴とする情報処理装置。
【請求項４】
前記取得手段は、前記対象の商品又は役務の市場における平均価格に基づき前記基準価格を取得することを特徴とする請求項３に記載の情報処理装置。
【請求項５】
前記取得手段は、前記対象の商品又は役務の市場における平均価格及びその標準偏差に基づき前記基準価格を取得することを特徴とする請求項３又は４に記載の情報処理装置。
【請求項６】
対象の商品又は役務の販売促進を目的とした広告データを作成する情報処理装置であって、
ユーザにより入力される前記対象の商品又は役務を特定する特定情報及び前記対象の商品又は役務の価格に基づき、前記広告データを構成する広告データ構成要素を選択する選択手段と、
前記選択手段により選択される前記広告データ構成要素を取得して、ユーザにより入力される前記特定情報及び前記価格と組み合わせることで前記広告データを作成する作成手段と、
前記特定情報に基づき特定される前記対象の商品又は役務について基準価格を取得する取得手段と、を備え、
前記選択手段は、ユーザにより入力される前記価格が前記基準価格以上である場合に、前記価格が前記基準価格よりも低い場合に比べて、あらかじめ前記広告データ構成要素と対応付けて設定されている高級感度が高い前記広告データ構成要素を選択する確率を高くすることを特徴とする情報処理装置。
【発明の詳細な説明】
【技術分野】
【０００１】
本発明は、情報処理装置に関する。
【背景技術】
【０００２】
従来、販促効果を高める目的でＰＯＰ（Point of purchase advertising）等の広告を作成する広告作成装置の開発が進められている。当該広告作成装置としては、例えば、商品の在庫数に基づいて商品名や価格を含むＰＯＰを作成するシステム等が提案されている（例えば、特許文献１参照）。
【先行技術文献】
【特許文献】
【０００３】
【特許文献１】特開２０１３−１９６４８８号公報
【発明の概要】
【発明が解決しようとする課題】
【０００４】
しかしながら、上記従来の技術にあっては、対象商品の通常用ＰＯＰの表示価格やデザインを変更して、対象商品が特売であることを示す特売用ＰＯＰを作成することができるが、そもそも通常用ＰＯＰが対象商品の価格に適したデザインでない場合、十分な販促効果が得られないおそれがある。これに対し、ユーザが対象商品の価格に適したデザインのＰＯＰを独力で作成することは困難であることが多い。
【０００５】
そこで、本発明は、対象の商品又は役務の価格に適したデザインの広告を作成できる情報処理装置を提供することを目的としている。
【課題を解決するための手段】
【０００６】
以上の課題を解決するため、請求項１に記載の発明の情報処理装置は、
所定の商品又は役務を対象とした広告を作成する際に前記広告に載せる商品又は役務の価格の入力を受け付ける受付手段と、
前記広告の態様を前記受付手段により入力を受け付けた価格に対応した態様に設定する設定手段と、
を備え、
前記設定手段は、前記商品又は役務と同様な商品又は役務であって前記商品又は役務の提供者とは異なる提供者により提供される商品又は役務の価格が母集団に含まれるように導出された基準価格との相対比較結果に基づいて、前記広告の態様を設定することを特徴とする。
【発明の効果】
【０００７】
本発明によれば、対象の商品又は役務の価格に適したデザインの広告を作成できる情報処理装置を提供することができる。
【図面の簡単な説明】
【０００８】
【図１】本実施形態の情報処理システムを示す概略構成図である。
【図２】サーバの機能構成を示すブロック図である。
【図３】記憶部にあらかじめ記憶されるデータテーブルの一例を示す図である。
【図４】携帯端末の機能構成を示すブロック図である。
【図５】サーバにより行われるＰＯＰデータ作成処理の一例を示すフローチャートである。
【図６】情報入力前の入力画面の一例を示す図である。
【図７】情報入力後の入力画面の一例を示す図である。
【図８】入力された価格が高額である場合のプレビュー画面の一例を示す図である。
【図９】入力された価格が高額でない場合又は価格が入力されない場合のプレビュー画面の一例を示す図である。
【発明を実施するための形態】
【０００９】
以下に、本発明を実施するための形態について図面を用いて説明する。ただし、以下に述べる実施形態には、本発明を実施するために技術的に好ましい種々の限定が付されているが、発明の範囲を以下の実施形態及び図示例に限定するものではない。
【００１０】
《情報処理システム１の構成》
まず、図１を参照して、本実施形態の構成を説明する。図１は、本実施形態の情報処理システム１の概略構成図である。
【００１１】
本実施形態の情報処理システム１は、入力される情報に基づき、所定の商品又は役務を対象とした広告としてのＰＯＰを作成するためのシステムであって、ユーザにより入力される商品又は役務の価格に適したデザインのＰＯＰを作成できるシステムである。
【００１２】
図１に示すように、情報処理システム１は、サーバ（情報処理装置）４と、ユーザ端末であるスマートフォンやタブレット端末等の携帯端末２ａ、２ｂと、ＰＯＳ（Point Of Sales）端末３ａ、３ｂと、印刷装置１１と、を備えて構成され、各装置が通信ネットワークＮを介して通信接続される。携帯端末２ａ、２ｂは、ＰＣ（personal computer）等であっても良く、以下の説明ではユーザ端末と記すことがある。
【００１３】
なお、携帯端末２ａ、２ｂ及びＰＯＳ端末３ａ、３ｂがサーバ４と通信接続するものとしたが、これに限られるものではなく、サーバ４によるサービスの提供を受けるユーザの数に応じて複数のユーザ端末やＰＯＳ端末が存在し、それらがサーバ４と通信接続する。また、ユーザ端末を介してサーバ４によるサービス（例えば、後述するＰＯＰデータ作成処理）の提供を受けるユーザと、ＰＯＳ端末を介してサーバ４によるサービス（例えば、売上データの管理）の提供を受けるユーザとは必ずしも共通していなくても良い。
【００１４】
サーバ４は、販売促進を目的とする広告データとしてＰＯＰデータを作成し、作成されたＰＯＰデータを管理する。また、サーバ４は、ユーザ端末からの要求に応じて、ＰＯＰデータを作成するための情報を入力する入力画面５、作成されたＰＯＰデータのプレビュー画面６Ａ、６Ｂ等をユーザ端末に配信する。また、サーバ４は、ＰＯＳ端末３ａ、３ｂから売上データを収集・集計して管理することで、商品又は役務の市場における平均価格やそれらの価格の標準偏差を算出する。
【００１５】
携帯端末２ａ、２ｂ等のユーザ端末は、サーバ４から送信される各種表示情報を受信して表示し、またユーザの操作入力を受け付けてその操作情報をサーバ４へ送信する。
【００１６】
ＰＯＳ端末３ａ、３ｂは、ユーザが経営又は所属する店舗等で売上登録処理（顧客の購入商品の売上個数、売上金額等の登録等）を行うとともに、売上登録により蓄積された売上データを１日の終了時にサーバ４へ送信する。
【００１７】
印刷装置１１は、電子写真式、インクジェット式等の家庭用又は業務用プリンタであって、入力される印刷指示に応じて、ＰＯＰデータ等を用紙上にプリントしてＰＯＰ等を作成する。
【００１８】
通信ネットワークＮは、インターネットにより構成されているものとするが、ＬＡＮ（Local Area Network）、ＷＡＮ（Wide Area Network）等を含めても良く、電話回線、専用線、移動体通信網、通信衛星網、ＣＡＴＶ（Cable Television）回線等を含めても良い。
【００１９】
また、情報処理システム１は、各種ユーザ端末で利用される他のアプリケーションプログラムを実行可能なように構成されていても良い。当該アプリケーションプログラムとしては、例えば、店舗等の日別・月別の売上集計や分析を行う売上管理業務や、固定資産税や個人事業税等の納税処理を行う会計管理業務や、従業員の給与計算の処理を行う給与管理業務や、店舗等の人員シフトの管理と従業員の勤怠管理の処理を行う就業管理業務や、関連事業者や従業員への通達文書の作成・管理を行う文書管理業務等を行うものが挙げられ、これらが実行可能とされていることで、情報処理システム１が経営支援システムとして機能するものとしても良い。
【００２０】
《サーバ４の構成》
次いで、サーバ４の内部構成を説明する。図２に、サーバ４の内部構成を示す。また、図３に、記憶部４５に記憶されるデータテーブルの一例を示す。なお、図３には、ＰＯＰデータ構成要素のうちレイアウトについて設定された高級感度を示しているが、他のＰＯＰデータ構成要素についても同様にそれぞれ高級感度が設定されているものである。
【００２１】
図２に示すように、サーバ４は、ＣＰＵ（Central Processing Unit）４１と、操作入力部４２と、ＲＡＭ（Random Access Memory）４３と、サーバ表示部４４と、記憶部４５と、通信部４６と、計時部４７と、を備えて構成され、各部がバス４８を介して接続されている。
【００２２】
ＣＰＵ４１は、記憶部４５に記憶されているシステムプログラムを読み出し、ＲＡＭ４３のワークエリアに展開し、当該システムプログラムに従って各部を制御する。また、ＣＰＵ４１は、記憶部４５に記憶されている処理プログラムを読み出してワークエリアに展開し、後述するＰＯＰデータ作成処理等のサーバ４側の処理を始めとする各種処理を実行し、選択手段、作成手段及び取得手段として機能する。
【００２３】
操作入力部４２は、カーソルキー、文字、数字入力キー及び各種機能キー等を備えたキーボードを含む構成とし、ユーザによる各キーの押下入力を受け付けてその操作情報をＣＰＵ４１に出力する。また、操作入力部４２は、マウス等のポインティングデバイスを含み、位置入力を受け付けて操作情報としてＣＰＵ４１に出力することとしても良い。
【００２４】
ＲＡＭ４３は、揮発性のメモリーである。また、ＲＡＭ４３は、実行される各種プログラムやこれら各種プログラムに係るデータ等を格納するワークエリアを有する。
【００２５】
サーバ表示部４４は、ＬＣＤ（Liquid Crystal Display）、ＣＲＴ（Cathode Ray Tube）等で構成され、ＣＰＵ４１からの表示制御信号に従って画面表示を行う。
【００２６】
記憶部４５は、磁気記録媒体を有するＨＤＤ（Hard Disk Drive）等により構成される。記憶部４５には、ＣＰＵ４１で実行されるシステムプログラムや処理プログラム、Ｗｅｂサーバプログラム等のアプリケーションプログラム、これらのプログラムの実行に必要なデータ等が記憶されている。処理プログラムには、後述するＰＯＰデータ作成処理等のサーバ４側の処理を始めとする各種処理を実行するためのプログラムが含まれる。
これらのプログラムは、コンピュータ読み取り可能なプログラムコードの形態で記憶部４５に格納されている。ＣＰＵ４１は、当該プログラムコードに従った動作を逐次実行する。
【００２７】
また、記憶部４５は、ＰＯＰデータ作成処理等に用いられる各種データをあらかじめ記憶する。すなわち、記憶部４５は、例えば、ＰＯＰデータのレイアウト、ＰＯＰデータに含まれるアイキャッチ、書体、背景、フォント色、テクスチャ、イラスト等のＰＯＰデータ構成要素（広告データ構成要素）を記憶する。また、記憶部４５は、ユーザが経営又は所属する店舗又は会社の業種・業態等を含むユーザ情報等を記憶する。記憶部４５に記憶されるＰＯＰデータ構成要素は、入力画面５に入力される情報（商品の名称、キャッチコピー及び画像データ）から導き出される単語や配色、ユーザ情報に含まれる業種・業態、計時部４７により特定される季節・イベント等と各々対応付けられている。
【００２８】
また、記憶部４５は、記憶されるＰＯＰデータ構成要素ごとにあらかじめ対応付けて設定されている高級感度を、図３に示すようなデータテーブルとして記憶する。高級感度は、そのＰＯＰデータ構成要素が加わることによりＰＯＰデータ全体から感じられる高級感の変動度合いを示す指標であって、高級感度の値が高いほど、そのＰＯＰデータ構成要素を用いて作成されるＰＯＰデータ全体から感じられる高級感が高まりやすい。高級感度が高いＰＯＰデータ構成要素としては、例えば、画像が含まれないレイアウト、比較的暗い色調のフォント色や背景、複雑な模様が含まれる背景やイラスト等が挙げられ、図３に示す例においては、「２」や「１」の高級感度が設定されたレイアウトＡ〜Ｃが該当する。また、高級感度が低いＰＯＰデータ構成要素としては、例えば、画像が多く含まれるレイアウト、淡色系のフォント色や背景、シンプルな模様が含まれる背景やイラスト等が挙げられ、図３に示す例においては、「０」の高級感度が設定されたレイアウトＤが該当する。
【００２９】
また、記憶部４５は、ＰＯＰデータ作成処理等においてユーザにより入力される各種データを記憶する。すなわち、記憶部４５は、例えば、入力画面５で入力される画像データ、過去に作成されたＰＯＰデータの作成履歴等を記憶する。
【００３０】
また、記憶部４５は、ＰＯＳ端末３ａ、３ｂから収集・集計された、ＰＯＳ端末を利用するユーザごとの売上データファイルを記憶する。当該売上データファイルには、ＰＯＳ端末を利用するユーザが経営又は所属する店舗等の業種・業態等のユーザ情報も含まれる。また、当該売上データファイルは、ＰＯＳ端末３ａ、３ｂから受信される売上データにより適宜更新される。
【００３１】
通信部４６は、モデム、ＴＡ（Terminal Adapter）、ルータ、ネットワークカード等により構成される。通信部４６は、通信ネットワークＮ上のユーザ端末やＰＯＳ端末等の外部機器と通信接続してデータ送受信を行う。
【００３２】
計時部４７は、計時回路を内蔵し、現在の時刻及び日付を計時して現在の時刻情報として出力する。
【００３３】
《携帯端末２ａの構成》
次いで、携帯端末２ａを例にとってユーザ端末の内部構成を説明する。図４に、携帯端末２ａの内部構成を示す。
【００３４】
図４に示すように、携帯端末２ａは、ＣＰＵ２１と、操作入力部２２と、ＲＡＭ２３と、端末表示部２４と、記憶部２５と、通信部２６と、計時部２７と、を備えて構成され、各部がバス２８を介して接続されている。
なお、携帯端末２ｂも略同様に構成されている。
【００３５】
ＣＰＵ２１、操作入力部２２、ＲＡＭ２３、端末表示部２４、記憶部２５、通信部２６、計時部２７は、それぞれ、サーバ４のＣＰＵ４１、操作入力部４２、ＲＡＭ４３、サーバ表示部４４、記憶部４５、通信部４６、計時部４７の構成と同様であり、異なる部分を主として説明する。
【００３６】
ＣＰＵ２１は、記憶部２５に記憶されているシステムプログラムを読み出し、ＲＡＭ２３のワークエリアに展開し、当該システムプログラムに従って各部を制御する。また、ＣＰＵ２１は、記憶部２５に記憶されている処理プログラムを読み出してワークエリアに展開し、後述するＰＯＰデータ作成処理等の携帯端末２ａ側の処理を始めとする各種処理を実行する。
【００３７】
記憶部２５は、磁気記録媒体を有するＨＤＤ等により構成される。記憶部２５には、ＣＰＵ２１で実行されるシステムプログラムや処理プログラム、Ｗｅｂブラウザ等のアプリケーションプログラム、これらのプログラムの実行に必要なデータ等が記憶されている。当該処理プログラムには、後述するＰＯＰデータ作成処理等の携帯端末２ａ側の処理を始めとする各種処理を実行するためのプログラムが含まれる。
【００３８】
通信部２６は、通信ネットワークＮ上のサーバ４等の外部機器と通信を行う。
【００３９】
《サーバ４の動作》
上記のように構成されるサーバ４の動作について、図５〜図９を参照して説明する。図５は、ＰＯＰデータ作成処理の一例を示すフローチャートである。図６は、端末表示部２４に表示される情報入力前の入力画面５を示す図である。図７は、端末表示部２４に表示される情報入力後の入力画面５を示す図である。図８は、入力された価格が高額である場合に端末表示部２４に表示されるプレビュー画面６Ａの一例を示す図である。図９は、入力された価格が高額でない場合又は価格が入力されない場合に端末表示部２４に表示されるプレビュー画面６Ｂの一例を示す図である。
【００４０】
サーバ４は、ユーザ端末を介してユーザにより入力されたテキストや画像データに基づき、対象の商品又は役務を紹介するＰＯＰデータを複数種作成するＰＯＰデータ作成処理を行うよう構成されている。
【００４１】
具体的には、図５に示すように、サーバ４のＣＰＵ４１は、ユーザ端末よりＰＯＰデータ作成用のプログラムの実行が要求されたときに、図６に示す入力画面５を端末表示部２４に表示させる（ステップＳ１０１）。入力画面５は、ＰＯＰデータの作成に必要な情報を入力する画面である。当該必要な情報としては、作成するＰＯＰデータにて紹介する対象の商品の名称（商品名）、対象の商品の価格、対象の商品のキャッチコピー及び対象の商品の画像データであり、これらのうち対象の商品の名称及び画像データの少なくとも一方が、本実施形態において対象の商品を特定する特定情報を構成する。したがって、入力画面５には、それらの各情報を入力するための入力欄として、商品名入力欄５１、価格入力欄５２、キャッチコピー入力欄５３及び画像データ入力欄５４が設けられている。ユーザにより価格入力欄５２に価格が入力されることで、ＣＰＵ４１は、ＰＯＰデータに載せる商品の価格の入力を受け付ける。また、入力画面５には、各入力欄５１〜５４の他に、紹介する商品をＰＯＰデータに追加する際に選択される商品追加ボタン５５、情報入力後ＰＯＰデータを作成する際に選択される作成ボタン５６、入力画面５の表示を終了する際に選択されるキャンセルボタン５７、キャッチコピー入力の参考となる情報（例えば、キャッチコピーのサンプルやトレンドワード等）を表示する際に選択される参考ボタン５８等が設けられている。
【００４２】
入力画面５において、ユーザにより商品追加ボタン５５が選択されると、入力画面５に商品名入力欄５１、価格入力欄５２、キャッチコピー入力欄５３及び画像データ入力欄５４が各一つずつ追加される。ユーザにより、追加された各入力欄５１〜５４に情報が入力されることで、ＣＰＵ４１は、二種の商品の紹介が含まれたＰＯＰデータを作成することができる。よって、商品追加ボタン５５が複数回選択され、各入力欄５１〜５４に情報が入力されることで、ＣＰＵ４１は、複数種の商品の紹介が含まれたＰＯＰデータを作成することができる。
【００４３】
なお、入力画面５の各入力欄５１〜５４には、一つの商品について少なくとも特定情報、すなわち対象商品の商品名及び画像データの少なくとも一方が入力されていれば良いが、入力される情報が多いほど作成されるＰＯＰデータの精度が向上するため、各入力欄５１〜５４の全てに情報が入力されることが好ましい。
【００４４】
次に、図５に示すように、ＣＰＵ４１は、入力が完了したか否かを判定する（ステップＳ１０２）。具体的には、例えば、ＣＰＵ４１は、ユーザにより少なくとも商品名入力欄５１に対象商品の商品名が入力されるか、又は画像データ入力欄５４に対象商品の画像データが入力された上で、作成ボタン５６が選択された場合に、入力が完了したと判定する。
【００４５】
入力が完了したと判定されると（ステップＳ１０２；ＹＥＳ）、ＣＰＵ４１は、価格入力欄５２に対象の商品の価格が入力されているか否かを判定する（ステップＳ１０３）。入力が完了していないと判定されると（ステップＳ１０２；ＮＯ）、ＣＰＵ４１は、再びステップＳ１０２の処理を行う。
【００４６】
対象の商品の価格が入力されていないと判定されると（ステップＳ１０３；ＮＯ）、ＣＰＵ４１は、商品名入力欄５１、キャッチコピー入力欄５３及び画像データ入力欄５４に入力された情報（以下、入力情報ともいう）に基づき、ＰＯＰデータ構成要素を選択する（ステップＳ１０７）。
【００４７】
具体的には、ＣＰＵ４１は、入力された商品名、キャッチコピー及び画像データに適したレイアウト、フォント色、書体、背景、テクスチャ、イラスト、アイキャッチ等の各ＰＯＰデータ構成要素を記憶部４５から選択する。
【００４８】
商品名入力欄５１やキャッチコピー入力欄５３に商品名やキャッチコピーのテキストが入力されている場合には、ＣＰＵ４１は、入力されたテキストを形態素解析し、当該テキストに含まれる単語を抽出する。そして、ＣＰＵ４１は、抽出された単語にそれぞれ対応付けられたＰＯＰデータ構成要素を記憶部４５から選択する。
例えば、図７に示すように、商品名入力欄５１に「ゆず塩ラーメン」が入力された場合には、ＣＰＵ４１はこれを形態素解析して、「ゆず」、「塩」及び「ラーメン」の単語を抽出する。そして、ＣＰＵ４１は、例えば、「ゆず」の単語に対応付けられた黄色や緑色のフォント色、柚子のイラスト等のＰＯＰデータ構成要素を選択する。また、例えば、「ラーメン」の単語に対応付けられた、ラーメンの紹介に適したレイアウト等のＰＯＰデータ構成要素を選択する。
【００４９】
また、画像データ入力欄５４に商品の画像データが入力されている場合には、ＣＰＵ４１は、入力された画像データに対して画像解析を行い、例えば、当該画像データを構成する配色や、当該画像データが示す商品の名称（単語）等を特定する。ＣＰＵ４１は、画像解析結果により導き出される配色や単語に対応付けられたＰＯＰデータ構成要素を記憶部４５から選択する。
例えば、図７に示すように、画像データ入力欄５４に「ラーメン」の画像データが入力された場合には、ＣＰＵ４１はこれを画像解析して、その画像データの配色や、画像データが示す商品の名称である「ラーメン」の単語を特定する。そして、特定された配色に対応付けられたフォント色や背景等のＰＯＰデータ構成要素を選択したり、「ラーメン」の単語に対応付けられた、ラーメンの紹介に適したレイアウト等のＰＯＰデータ構成要素を選択したりする。
【００５０】
また、ＣＰＵ４１は、入力画面５に入力された情報だけでなく、さらに、記憶部４５にユーザ情報として記憶されるユーザの業種・業態や、計時部４７により特定される現在の季節・イベントに基づいて、ＰＯＰデータ構成要素を選択しても良い。具体的には、ユーザの業種・業態が例えば「中華料理店」を示す場合には、「中華料理店」の業種・業態に対応付けられた赤色のフォント色や、赤色を基調とした背景等のＰＯＰデータ構成要素を選択する。また、計時部４７により特定される季節・イベントが例えば「春」や「夏」である場合には、「春」や「夏」の季節・イベントに対応付けられた暖色系のフォント色等のＰＯＰデータ構成要素を選択する。また、計時部４７により特定される季節・イベントが例えば「クリスマス」である場合には、「クリスマス」の季節・イベントに対応付けられたイラスト等のＰＯＰデータ構成要素を選択する。
【００５１】
図５に示すように、対象商品の価格が入力されていると判定されると（ステップＳ１０３；ＹＥＳ）、ＣＰＵ４１は、対象商品の基準価格を取得する（ステップＳ１０４）。基準価格は、対象商品の提供者とは異なる提供者により提供される商品の価格が母集団に含まれるように導出される。具体的には、ＣＰＵ４１は、ＰＯＳ端末３ａ、３ｂから収集・集計され、記憶部４５に記憶される売上データファイルに基づき、商品名入力欄５１に入力された名称、又は画像データ入力欄５４に入力された画像データを画像解析して特定される名称の商品の市場における平均価格及び当該商品の価格の標準偏差を算出する。ここで算出する平均価格及び標準偏差は、記憶部４５に記憶される売上データファイルにおいて共通する業種・業態における対象商品の価格の平均価格及び標準偏差である。これにより、例えばスーパーマーケットで販売される「ラーメン」と中華料理店で提供される「ラーメン」とを区別して、平均価格及び標準偏差を算出することができ、より正確な市場価格を取得することができる。そして、ＣＰＵ４１は、算出された平均価格に標準偏差を足し合わせた額を基準価格として取得する。
【００５２】
次に、ＣＰＵ４１は、ステップＳ１０４で取得された対象商品の基準価格に基づき、入力された価格が高額であるか否かを判定する（ステップＳ１０５）。具体的には、ＣＰＵ４１は、入力された価格が、基準価格以上である場合に、高額であると判定する。
【００５３】
入力された価格が高額でないと判定されると（ステップＳ１０５；ＮＯ）、ＣＰＵ４１は、上記したステップＳ１０７の処理を行う。
【００５４】
一方、入力された価格が高額であると判定されると（ステップＳ１０５；ＹＥＳ）、ＣＰＵ４１は、入力情報に基づき、高級感度が所定値以上のＰＯＰデータ構成要素を選択する（ステップＳ１０６）。これにより、ＣＰＵ４１は、ＰＯＰデータの態様を、価格入力欄５２にてユーザによる入力を受け付けた価格に対応した態様に設定することができる。具体的には、ＣＰＵ４１は、上記ステップＳ１０７の処理と同様にして、商品名入力欄５１又はキャッチコピー入力欄５３に入力されるテキストを形態素解析したり、画像データ入力欄５４に入力される画像データを画像解析したりすることで、入力情報から単語や配色を導き出す。そして、導き出された単語や配色に対応付けられたＰＯＰデータ構成要素の中から、高級感度が所定値以上のものを選択する。例えば、入力情報から導き出された単語や配色に対応付けられたＰＯＰデータ構成要素に図３に示すレイアウトＡ〜Ｄが含まれ、かつ所定値が「１」に設定されている場合には、ＣＰＵ４１は、高級感度が「２」や「１」のレイアウトＡ〜Ｃを選択する。これにより、入力価格が基準価格以上である場合に、入力価格が基準価格よりも低い場合に比べて、高級感度が高いＰＯＰデータ構成要素を選択する確率が高くなる。
【００５５】
次に、ＣＰＵ４１は、ステップＳ１０６又はＳ１０７の処理にて選択されたＰＯＰデータ構成要素を記憶部４５から取得し、それらを入力画面５で入力された情報と組み合わせて複数種のＰＯＰデータを作成する（ステップＳ１０８）。なお、選択されたＰＯＰデータ構成要素の数が、作成するＰＯＰデータの数に対して多い場合には、選択されたＰＯＰデータ構成要素の中から必要数をランダムで選択するものとしても良い。
【００５６】
次に、ＣＰＵ４１は、作成された複数種のＰＯＰデータを端末表示部２４に表示させる（ステップＳ１０９）。具体的には、ステップＳ１０６にて高級感度が所定値以上のＰＯＰデータ構成要素が選択された場合には、図８に示すプレビュー画面６Ａが端末表示部２４に表示され、ステップＳ１０７にてＰＯＰデータ構成要素が選択された場合には、図９に示すプレビュー画面６Ｂが端末表示部２４に表示される。すなわち、ユーザにより入力される価格が市場価格と比べて高額である場合には、画像が含まれないレイアウト等、高級感度が所定値以上のＰＯＰデータ構成要素が用いられた図８に示すようなＰＯＰデータが作成される。そして、当該ＰＯＰデータは、ユーザにより入力される価格が市場価格と比べて高額でない場合に作成される、図９に示すようなＰＯＰデータよりも高級感のあるデザインであり、対象商品の価格に適したデザインのＰＯＰデータを作成することができる。
【００５７】
また、ＣＰＵ４１は、プレビュー画面６Ａ又６Ｂにおいて、ステップＳ１０８にて作成される複数種のＰＯＰデータを、過去に作成されたＰＯＰデータの作成履歴に基づいて一つずつ順番に端末表示部２４に表示する。すなわち、過去に作成されたＰＯＰデータにおいて、例えば特定のレイアウトや書体が高い頻度で使用されている場合には、当該レイアウトや書体を使用したＰＯＰデータを優先的に端末表示部２４に表示させる。ＣＰＵ４１は、ＰＯＰデータが端末表示部２４に表示された状態で、ユーザによりスワイプ操作やタップ操作等が行われることで、他のＰＯＰデータを端末表示部２４に順次表示させる。
【００５８】
以上のようにしてＰＯＰデータ作成処理を行う。
【００５９】
なお、上記プレビュー画面６Ａ又は６ＢにいずれかのＰＯＰデータが表示された状態でユーザにより決定ボタン６１が選択された場合に、ＣＰＵ４１は、当該ＰＯＰデータを選択する。一方で、ユーザにより戻るボタン６２が選択された場合には、ＣＰＵ４１は、端末表示部２４に再び入力画面５を表示させる。ＣＰＵ４１は、ＰＯＰデータを選択した後、当該ＰＯＰデータを完成版として記憶部４５に記憶させても良いし、ユーザにより所定の操作がなされた場合には、当該ＰＯＰデータの編集画面（図示略）を端末表示部２４に表示させるものとしても良い。これにより、当該ＰＯＰデータに含まれる各ＰＯＰデータ構成要素を更にユーザの所望に応じて変更し、変更後の、よりユーザの好みに近いＰＯＰデータを完成版として記憶部４５に記憶させることができる。
【００６０】
また、ＣＰＵ４１は、上記作成された完成版のＰＯＰデータについてユーザ端末から印刷の実行が要求された場合には、通信部４６を介して当該ＰＯＰデータを印刷装置１１に出力し、印刷装置１１に印刷させるものとしても良い。
【００６１】
《本実施形態の技術的効果》
本実施形態によれば、サーバ４が、所定の商品を対象としたＰＯＰを作成する際にＰＯＰに載せる商品の価格の入力を受け付け、ＰＯＰの態様を入力を受け付けた価格に対応した態様に設定するＣＰＵ４１を備え、ＣＰＵ４１が、当該商品の提供者とは異なる提供者により提供される商品の価格が母集団に含まれるように導出された基準価格との相対比較結果に基づいて、ＰＯＰの態様を設定するので、対象の商品の価格に適したデザインのＰＯＰを作成することができる。
【００６２】
また、本実施形態によれば、対象の商品の販売促進を目的としたＰＯＰデータを作成するサーバ４が、ユーザにより入力される対象の商品を特定する特定情報及び対象の商品の価格に基づき、ＰＯＰデータを構成するＰＯＰデータ構成要素を選択し、選択されるＰＯＰデータ構成要素を取得して、ユーザにより入力される特定情報及び価格と組み合わせることでＰＯＰデータを作成し、特定情報に基づき特定される対象の商品について基準価格を取得するＣＰＵ４１と、を備え、ＣＰＵ４１が、ユーザにより入力される価格が基準価格以上である場合に、当該価格が基準価格よりも低い場合に比べて、あらかじめＰＯＰデータ構成要素と対応付けて設定されている高級感度が高いＰＯＰデータ構成要素を選択するので、対象の商品の価格に適したデザインのＰＯＰを作成することができる。
【００６３】
また、ＣＰＵ４１が、対象の商品の市場における平均価格に基づき基準価格を取得するので、より対象の商品の価格に適したデザインのＰＯＰを作成することができる。
【００６４】
また、ＣＰＵ４１が、対象の商品の市場における平均価格及びその標準偏差に基づき基準価格を取得するので、より対象の商品の価格に適したデザインのＰＯＰを作成することができる。
【００６５】
《その他》
なお、上記実施形態における記述は、本発明に係る好適な情報処理装置の一例であり、これに限定されるものではない。
【００６６】
例えば、上記した実施形態では、サーバ４は、各種データを記憶部４５に記憶し、各種表示画面を端末表示部２４に表示させるものとしたが、これに限られるものではない。例えば、サーバ４が、各種データを記憶部４５に記憶し、各種表示画面をサーバ表示部４４に表示させるように構成されていても良い。また、携帯端末２ａが、各種データを記憶部２５に記憶し、各種表示画面を端末表示部２４に表示するように構成されていても良く、この場合には携帯端末２ａ自体が情報処理装置として機能する。
【００６７】
また、上記した実施形態では、ＰＯＰデータ構成要素と、あらかじめＰＯＰデータ構成要素と対応付けて設定されている高級感度とが記憶部４５に記憶されているものとしたが、これに限られるものではない。例えば、それらがサーバ４の外部装置にあらかじめ記憶され、ＣＰＵ４１が必要に応じて当該外部装置にアクセスしてそれらを取得するものとしても良い。
【００６８】
また、上記した実施形態では、ＣＰＵ４１が、入力価格と、対象の商品の提供者とは異なる提供者により提供される商品の価格が母集団に含まれるように導出された基準価格との相対比較結果に基づいて、ＰＯＰの態様を設定するものとしたが、これに限られるものではない。
例えば、基準価格は、対象の商品と同様な商品であって対象の商品の提供者とは異なる提供者により提供される商品の価格が母集団に含まれるように導出されるものであっても良い。したがって、例えば入力された商品名が「ゆず塩ラーメン」である場合、「ゆず塩ラーメン」だけでなく、当該商品名を形態素解析して抽出された単語のうち「ラーメン」を必須として、「塩ラーメン」や「ゆずラーメン」の価格を母集団に含めても良いし、「ラーメン」の価格を母集団に含めても良い。この場合、商品名を形態素解析して抽出される単語のうちいずれを必須とするかは、あらかじめ定められているものとしても良い。
また、例えば、対象の商品と同様な商品であって対象の商品の提供者とは異なる提供者により提供される商品の価格が母集団に含まれるように、対象商品の市場における価格に対する入力価格の偏差値を導出し、導出された偏差値に基づいて、ＰＯＰの態様を設定するものとしても良い。これにより、より対象の商品の価格に適したデザインのＰＯＰを作成することができる。
【００６９】
また、上記した実施形態では、ＣＰＵ４１が、算出された平均価格に標準偏差を足し合わせた額を基準価格として取得するものとしたが、これに限られるものではない。
例えば、ＣＰＵ４１が、算出された平均価格に所定値を足し合わせたり、掛け合わせたりして算出される額を基準価格として取得するものとしても良い。また、例えば、商品名ごとにあらかじめ設定された基準価格が記憶部４５に記憶され、ＣＰＵ４１がこれを取得するものとしても良いし、ユーザにより商品名ごとに設定された基準価格が記憶部４５に記憶され、ＣＰＵ４１がこれを取得するものとしても良い。
また、例えば、ＣＰＵ４１が、段階的に値が異なる複数の基準価格を取得するものとしても良い。この場合には、ユーザにより入力された価格が、複数の基準価格のうちいずれの基準価格を越えているかに応じて、高級感度の異なるＰＯＰデータ構成要素を段階的に選択するものとしても良い。例えば、入力価格が第１の基準価格以上である場合には高級感度「１」のＰＯＰデータ構成要素を選択し、入力価格が第１の基準価格よりも高い第２の基準価格以上である場合には高級感度「２」のＰＯＰデータ構成要素を選択するようにしても良い。
【００７０】
また、上記した実施形態では、サーバ４が、ＰＯＳ端末３ａ、３ｂと通信接続し、ＰＯＳ端末３ａ、３ｂから収集・集計した売上データを管理することで、対象商品の平均価格及び対象商品の価格の標準偏差を算出するものとしたが、これに限られるものではない。例えば、サーバ４がＰＯＳ端末３ａ、３ｂと通信接続せず、外部サーバ（図示略）にアクセスして対象商品の平均価格や対象商品の価格の標準偏差を取得するものとしても良い。
【００７１】
また、上記した実施形態では、ＣＰＵ４１が対象商品の市場における平均価格を算出するものとしたが、これに限られるものではない。例えば、ＣＰＵ４１は、地域ごとの市場における平均価格を算出するものとしても良い。この場合には、例えば、ユーザの経営又は所属する店舗等が存在する地点から半径所定距離範囲内の地域における平均価格を算出するものとしても良いし、ユーザの経営又は所属する店舗等が存在する都道府県や地方における平均価格を算出するものとしても良い。
【００７２】
また、上記した実施形態では、入力価格が高額であると判定された場合、ＣＰＵ４１が、入力情報から導き出される単語や配色等に対応付けられるＰＯＰデータ構成要素の中から、高級感度が所定値以上のものを選択するものとしたが、これに限られるものではない。例えば、ＣＰＵ４１は、高級感度が所定値以上のＰＯＰデータ構成要素の中から、入力情報から導き出される単語や配色等に対応付けられるものを選択するものとしても良い。また、例えば、ＣＰＵ４１は、高級感度が所定値以上のＰＯＰデータ構成要素が選択される確率を重み付けした上で、入力情報から導き出される単語や配色等に対応付けられるＰＯＰデータ構成要素からランダムでＰＯＰデータ構成要素を選択するものとしても良い。
【００７３】
また、上記した実施形態では、作成された複数種のＰＯＰデータをプレビュー画面６Ａ又は６Ｂにおいて一つずつ順番に表示されるものとしたが、これに限られるものではなく、例えば、作成された複数種のＰＯＰデータが複数ずつ順番に表示されるものとしても良いし、一覧表示されるものとしても良い。
【００７４】
また、上記した実施形態では、入力画面５に商品に関する情報を入力し、当該商品を紹介するＰＯＰデータを作成するものとしたが、これに限られるものではなく、例えば、入力画面５に役務に関する情報を入力し、当該役務を紹介するＰＯＰデータを作成するものとしても良い。
【００７５】
また、上記した実施形態では、本発明に係るプログラムのコンピュータ読み取り可能な媒体としてハードディスクや半導体の不揮発性メモリー等を使用した例を開示したが、この例に限定されない。その他のコンピュータ読み取り可能な媒体として、ＣＤ−ＲＯＭ等の可搬型記録媒体を適用することが可能である。また、本発明に係るプログラムのデータを通信回線を介して提供する媒体として、キャリアウェーブ（搬送波）も適用される。
【００７６】
本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
所定の商品又は役務を対象とした広告を作成する際に前記広告に載せる商品又は役務の価格の入力を受け付ける受付手段と、
前記広告の態様を前記受付手段により入力を受け付けた価格に対応した態様に設定する設定手段と、
を備え、
前記設定手段は、前記商品又は役務と同様な商品又は役務であって前記商品又は役務の提供者とは異なる提供者により提供される商品又は役務の価格が母集団に含まれるように導出された基準価格との相対比較結果に基づいて、前記広告の態様を設定することを特徴とする情報処理装置。
＜請求項２＞
所定の商品又は役務を対象とした広告を作成する際に前記広告に載せる商品又は役務の価格の入力を受け付ける受付手段と、
前記広告の態様を前記受付手段により入力を受け付けた価格に対応した態様に設定する設定手段と、
を備え、
前記設定手段は、前記商品又は役務と同様な商品又は役務であって前記商品又は役務の提供者とは異なる提供者により提供される商品又は役務の価格が母集団に含まれるように導出された価格の偏差値に基づいて、前記広告の態様を設定することを特徴とする情報処理装置。
＜請求項３＞
対象の商品又は役務の販売促進を目的とした広告データを作成する情報処理装置であって、
ユーザにより入力される前記対象の商品又は役務を特定する特定情報及び前記対象の商品又は役務の価格に基づき、前記広告データを構成する広告データ構成要素を選択する選択手段と、
前記選択手段により選択される前記広告データ構成要素を取得して、ユーザにより入力される前記特定情報及び前記価格と組み合わせることで前記広告データを作成する作成手段と、
前記特定情報に基づき特定される前記対象の商品又は役務について基準価格を取得する取得手段と、を備え、
前記選択手段は、ユーザにより入力される前記価格が前記基準価格以上である場合に、前記価格が前記基準価格よりも低い場合に比べて、あらかじめ前記広告データ構成要素と対応付けて設定されている高級感度が高い前記広告データ構成要素を選択することを特徴とする情報処理装置。
＜請求項４＞
前記取得手段は、前記対象の商品又は役務の市場における平均価格に基づき前記基準価格を取得することを特徴とする請求項３に記載の情報処理装置。
＜請求項５＞
前記取得手段は、前記対象の商品又は役務の市場における平均価格及びその標準偏差に基づき前記基準価格を取得することを特徴とする請求項３又は４に記載の情報処理装置。
＜請求項６＞
対象の商品又は役務の販売促進を目的とした広告データを作成する情報処理装置であって、
ユーザにより入力される前記対象の商品又は役務を特定する特定情報及び前記対象の商品又は役務の価格に基づき、前記広告データを構成する広告データ構成要素を選択する選択手段と、
前記選択手段により選択される前記広告データ構成要素を取得して、ユーザにより入力される前記特定情報及び前記価格と組み合わせることで前記広告データを作成する作成手段と、
前記特定情報に基づき特定される前記対象の商品又は役務について基準価格を取得する取得手段と、を備え、
前記選択手段は、ユーザにより入力される前記価格が前記基準価格以上である場合に、前記価格が前記基準価格よりも低い場合に比べて、あらかじめ前記広告データ構成要素と対応付けて設定されている高級感度が高い前記広告データ構成要素を選択する確率を高くすることを特徴とする情報処理装置。
【符号の説明】
【００７７】
４    サーバ（情報処理装置）
４１  ＣＰＵ（受付手段、設定手段、選択手段、作成手段、取得手段）
【図１】
2018142155.tif 000003
【図２】
2018142155.tif 000004
【図３】
2018142155.tif 000005
【図４】
2018142155.tif 000006
【図５】
2018142155.tif 000007
【図６】
2018142155.tif 000008
【図７】
2018142155.tif 000009
【図８】
2018142155.tif 000010
【図９】
2018142155.tif 000011